(57)【要約】【課題】  横編機で一体的に生産可能で、生産効率が高く、他の製法による製品に置換え可能なフリンジ付き筒状編地を提供する。【解決手段】  フリンジ付き筒状編地１は、（ａ）に示すように、収縮筒状編地部２の周囲に多数のフリンジ糸３ａを含むフリンジ部３が設けられる。横編機では、（ｂ）に示すフリンジ付き編地１ｚとして一体的に編成される。筒状編地２ｚは、熱融着性弾性糸を編糸として使用して編成する。フリンジ付き編地１ｚの編成後に、全体を加熱すると、熱融着性弾性糸の成分の一部が融解し、フリンジ糸３ａにめり込んで固定する。また、加熱によって筒状編地２ｚは収縮するので、編目が詰り、フリンジ糸３ａを編目でも保持し、ミシン縫いなどを行わなくても、フリンジ糸３ａを強固に保持することができる。フリンジ付き筒状編地１は、柄を収縮筒状編地部２に挿入して、モップとして使用することができる。【選択図】図１
2011226019.tif 000002
【特許請求の範囲】
【請求項１】
横編機で一体的に編成することが可能なフリンジ付き筒状編地であって、
熱収縮糸を使用して筒状編地として編成され、編成後に加熱される収縮筒状編地部と、
筒状編地の編成中にインレイ糸として挿入され、端部が筒状編地の外部に引出されているフリンジ糸を、複数本、有するフリンジ部とを含む、
ことを特徴とするフリンジ付き筒状編地。
【請求項２】
前記フリンジ部のフリンジ糸は、前記収縮筒状編地部の外周から放射状に引出されている、
ことを特徴とする請求項１記載のフリンジ付き筒状編地。
【請求項３】
前記収縮筒状編地部は、内部に挿入される支持物に対応する形状となるように形成される、
ことを特徴とする請求項１または２記載のフリンジ付き筒状編地。
【請求項４】
前記筒状編地編成に使用する熱収縮糸は、熱融着性弾性糸である、
ことを特徴とする請求項１〜３のいずれか一つに記載のフリンジ付き筒状編地。
【請求項５】
前記フリンジ糸がモップ糸となり、
前記収縮筒状編地部に柄が挿入され、
モップとして使用される、
ことを特徴とする請求項１〜４のいずれか一つに記載のフリンジ付き筒状編地。
【請求項６】
前記フリンジ糸が葉となり、
前記収縮筒状編地部が茎となり、
人工的な水中植物として使用される、
ことを特徴とする請求項１〜４のいずれか一つに記載のフリンジ付き筒状編地。
【発明の詳細な説明】
【技術分野】
【０００１】
本発明は、横編機で一体的に編成することが可能で、編地の外部に多数の糸がフリンジとして出るフリンジ付き筒状編地に関する。
【背景技術】
【０００２】
従来から、横編機では、衣服や手袋、靴下、帽子など、人体に着用する編地製品を編成している。近年では、編機、編糸、編成技術などの発展で、多様な編地製品の製造が効率よく可能となり、編地製品の適用範囲の拡大が期待されている。そのような編地製品の一つに、筒状編地の外部に多数の糸がフリンジとして出るフリンジ付き筒状編地がある。
【０００３】
たとえば、パイル編地のパイル糸を水中で藻のように利用する人工岩礁用海藻（たとえば、特許文献１参照）に、フリンジ付き筒状編地を適用することが考えられる。また、モップなどの払拭具では、台となる帆布にミシン等で縫いつけられる糸の房で埃や塵を捉えるようにしている（たとえば、特許文献２参照）。しかしながら、糸の房をフリンジとすれば、フリンジ付き筒状編地として、房を台に縫いつけるものと同等な状態を、横編機で一体的に編成可能であると考えられる。
【先行技術文献】
【特許文献】
【０００４】
【特許文献１】特公平７−２６２９６号公報
【特許文献２】特開２０００−５１１３２号公報
【発明の概要】
【発明が解決しようとする課題】
【０００５】
特許文献１のような人工海藻では、糸が茎となる部分の周囲に分散するように設けられることが望ましい。しかしながら、特許文献１では、編地の端部にしか糸がないので、中間部は糸が疎になってしまう。特許文献２のようなモップでは、モップの柄の先端を挿通させるための台を帆布などで製造する工程や糸の房を台にミシンで縫いつける行程が必要となり、生産コストが上昇してしまう。
【０００６】
本発明の目的は、横編機で一体的に生産可能で、生産効率が高く、他の製法による製品に置換え可能なフリンジ付き筒状編地を提供することである。
【課題を解決するための手段】
【０００７】
本発明は、横編機で一体的に編成することが可能なフリンジ付き筒状編地であって、
熱収縮糸を使用して筒状編地として編成され、編成後に加熱される収縮筒状編地部と、
筒状編地の編成中にインレイ糸として挿入され、端部が筒状編地の外部に引出されているフリンジ糸を、複数本、有するフリンジ部とを含む、
ことを特徴とするフリンジ付き筒状編地である。
【０００８】
また本発明で、前記フリンジ部のフリンジ糸は、前記収縮筒状編地部の外周から放射状に引出されている、
ことを特徴とする。
【０００９】
また本発明で、前記収縮筒状編地部は、内部に挿入される支持物に対応する形状となるように形成される、
ことを特徴とする。
【００１０】
また本発明で、前記筒状編地の編成に使用する熱収縮糸は、熱融着性弾性糸である、
ことを特徴とする。
【００１１】
また本発明では、前記フリンジ糸がモップ糸となり、
前記収縮筒状編地部に柄が挿入され、
モップとして使用される、
ことを特徴とする。
【００１２】
また本発明では、前記フリンジ糸が葉となり、
前記収縮筒状編地部が茎となり、
人工的な水中植物として使用される、
ことを特徴とする。
【発明の効果】
【００１３】
本発明によれば、フリンジ付き筒状編地は、横編機で一体的に編成することが可能なので、効率よく生産することができる。フリンジ付き筒状編地は、収縮筒状編地部とフリンジ部とを含む。収縮筒状編地部は、熱収縮糸を使用して筒状編地として編成され、編成後の加熱で収縮するので、編成時よりも強度を上昇させることができ、過酷な条件での使用も可能になる。フリンジ部は、筒状編地の編成中にインレイ糸として挿入され、端部が筒状編地の外部まで引出され、筒状の編地の加熱による収縮で固定されるフリンジ糸を、複数本、有するので、収縮筒状編地部からは抜けにくくすることができる。インレイ糸として筒状の編地の外部に引出す長さは、たとえばパイル編地でのパイル糸よりも容易に長くすることができる。
【００１４】
また本発明によれば、フリンジ部のフリンジ糸は、収縮筒状編地部の外周から放射状に引出されるので、収縮筒状編地部の周囲にフリンジ糸を、分散するように設けることができる。
【００１５】
また本発明によれば、収縮筒状編地部は、内部に挿入される支持物に対応する形状となるように形成されるので、収縮筒状編地部を利用して、確実に支持を行わせることができる。
【００１６】
また本発明によれば、筒状の編地の編成に使用する熱収縮糸は、熱融着性弾性糸であるので、加熱後の収縮筒状編地部では、融着して強度を増大させることができる。また、フリンジ糸は、引出す位置によっては筒状編地と絡まる箇所が少なくなるけれども、融着によって強固に固定される。
【００１７】
また本発明によれば、フリンジ糸がモップ糸となり、収縮筒状編地部に柄が挿入され、モップとして使用されるので、モップを効率よく生産し、交換も容易に行えるようにすることができる。
【００１８】
また本発明によれば、フリンジ糸が葉となり、収縮筒状編地部が茎となり、人工的な水中植物として使用されるので、魚礁や水質浄化用の人工海藻を効率よく生産したり、多様な観賞用の人工水草を製造したりすることができる。
【図面の簡単な説明】
【００１９】
【図１】図１は、本発明の一実施例であるフリンジ付き筒状編地１、および加熱前のフリンジ付き編地１ｚの概略的な構成を示す平面図である。
【図２】図２は、図１のフリンジ付き筒状編地１を使用するモップ１０の例を示す図である。
【図３】図３は、図１のフリンジ付き編地１ｚを編成する基本的な考え方を示す図である。
【図４】図４は、図３の考え方に従って、フリンジ付き編地１ｚを編成する手順の一部を示す図である。
【図５】図５は、図３の考え方に従って、フリンジ付き編地１ｚを編成する手順で、図４に続く部分を示す図である。
【図６】図６は、図３の考え方に従って、フリンジ付き編地１ｚを編成する手順で、図５に続く部分を示す図である。
【図７】図７は、図３の考え方に従って、フリンジ付き編地１ｚを編成する手順で、図６に続く部分を示す図である。
【図８】図８は、図３の考え方に従って、フリンジ付き編地１ｚを編成する手順で、図７に続く部分を示す図である。
【発明を実施するための形態】
【００２０】
以下、図１から図８までで、本発明の一実施例としてのフリンジ付き筒状編地１について説明する。図１から図３までの説明の過程で、図面とともに符号を参照して説明した事項は、図４から図８までについても、符号を付けて説明する場合がある。
【実施例１】
【００２１】
図１は、本発明の一実施例としてのフリンジ付き筒状編地１を、編成後の状態とともに示す。すなわち、編地製品として利用するフリンジ付き筒状編地１は、（ａ）に示すように、収縮筒状編地部２の周囲にフリンジ部３が設けられている。フリンジ部３には、多数のフリンジ糸３ａが含まれる。このようなフリンジ付き筒状編地１は、横編機による一体的な編成で、（ｂ）に示すフリンジ付き編地１ｚとして編成される。フリンジ付き編地１ｚでは、中心の筒状編地２ｚに、インレイ糸としてフリンジ糸３ａが多数挿入され、フリンジ部３が形成される。なお、図示の状態では、各フリンジ糸３ａの端部はカットされているけれども、一体的な編成の状態では、２本ずつのフリンジ糸３ａの端部が接続されている。フリンジ付き筒状編地１としては、フリンジ糸３ａの端部をカットしない状態で使用することもできる。
【００２２】
筒状編地２ｚは、熱収縮糸として、たとえば東洋紡績株式会社が製造するダイヤフローラ（登録商標）などの熱融着性弾性糸を編糸として使用して編成する。インレイ糸として挿入するフリンジ糸３ａは、たとえばナイロン６６などを使用する。フリンジ付き編地２ｚの編成後に、全体をたとえば１９０℃前後で５分間加熱すると、熱融着性弾性糸の成分の一部が融解し、フリンジ糸３ａにめり込んで固定する。また、加熱によって筒状編地２ｚは収縮するので、編目が詰り、フリンジ糸３ａを編目でも保持する。したがって、（ａ）に示す収縮筒状編地部２は、ミシン縫いなどを行わなくても、フリンジ糸３ａを強固に保持することができる。
【００２３】
図２は、図１のフリンジ付き筒状編地１を使用するモップ１０の例を示す。柄１１の先端を、収縮筒状編地部２に挿入して使用する。収縮筒状編地部２は、筒状になっているので、柄１１の着脱を容易に行うことができる。柄１１の先端を、たとえば二又に分ければ、二つのフリンジ付き筒状編地１を装着することができる。
【００２４】
図３は、図１のフリンジ付き編地１ｚを編成する基本的な考え方を示す。フリンジ付き編地１ｚは、少なくとも前後一対の針床を備える横編機を使用して、外部でフリンジ糸３ａとなるインレイ糸を挿入しながら、袋状のリブ編みで筒状編地２ｚを編成する。以下の説明では、図１の筒状編地２ｚの編成に、たとえば、針床の編幅の中間にある８本の編針を使用する場合を想定する。８本の編針を、前針床ではＡ，Ｂ，Ｃ，Ｄ，Ｅ，Ｆ，Ｇ，Ｈ、後針床ではａ，ｂ，ｃ，ｄ，ｅ，ｆ，ｇ，ｈとする。筒状編地２ｚは、前後の針床に編糸を周回させて編成する。筒状編地２ｚは、コース方向とウエール方向との両方で、表目と裏目とが交互に現れるリブ編みで編成する。なお、表目と裏目は、筒状編地２ｚを外側表面から見た状態を基準として示す。
【００２５】
図３（ａ）では、編糸を左から右に給糸して編針ａで裏目、編針Ｃで表目、編針ｅで裏目、編針Ｇで表目をそれぞれ形成し、対向する針床の編針Ａ，ｃ，Ｅ，ｇにそれぞれ目移しして前側編地を形成した後で、フリンジ糸３ａを左から右に挿入する。さらに、編糸を右から左に給糸して編針Ｈで裏目、編針ｆで表目、編針Ｄで裏目、編針ｂで表目をそれぞれ形成し、対向する針床の編針ｈ、Ｆ，ｄ，Ｂにそれぞれ目移しして後側編地を形成した後で、左側で折返したフリンジ糸３ａを右から左に挿入する。このように、一周するコースで表目と裏目とを交互に形成した後で、図３（ｂ）では、図３（ａ）とは表目と裏目とを逆の針床で形成しながら、同様の編成を行う。以下、図３（ａ）と図３（ｂ）とが繰返されるので、表目と裏目とは、コース方向とウエール方向との両方で、交互に現れる。そして、前後の編地に挿入されたフリンジ糸３ａは、編地の表目と裏目によって織込まれた状態となる。
【００２６】
なお、本実施例では、リブ編み後に目移ししてからフリンジ糸３ａを挿入しているけれども、編成方法はこれに限られず、たとえば、リブ編みの直後にフリンジ糸３ａを挿入して、その後に目移しする方法も可能である。インレイ糸がある状態での目移しが難しい場合もあり、そのような場合は、本実施例のように挿入前に目移しすればよい。
【００２７】
図４から図８までは、図１のフリンジ付き編地１ｚを編成する手順の例を示す。図４から図８までの各図の左側に示されている数字は、手順の相対的な順序を示す。Ａ〜Ｈ；ａ〜ｈの編針に対応する編目は、実線が新たに形成した編目または目移しした編目を示し、破線が継続して係止している編目を示す。以下の手順では、フリンジ付き編地１ｚの筒状編地２ｚを、袋状のリブ編みの前側編地と後側編地とで交互に編成する最中に、各編地を対向する針床の編針に退避させながら、表目と裏目とを入替えた状態にして、インレイ糸を挿入する。
【００２８】
手順１〜３では、インレイ糸を挿入しながら前側編地を編成する。手順１に先立ち、袋状のリブ編みの前側編地と後側編地とを前針床と後針床とにそれぞれ退避させておく。さらに、前側編地として前針床の編針Ｃ，Ｇに形成した表目を、後針床の編針ｃ，ｇにそれぞれ目移ししておく。手順１では、フリンジ糸３ａとなるインレイ糸を編幅の左端から右に挿入する。フリンジ糸３ａは、編幅の右端から外部に出る状態となるので、針床の右方の編針に掛ける。掛ける編針の位置は、編幅の外部で、フリンジ糸３ａとしての長さに応じて選択される。手順２では、編糸を左から右に給糸して、編針Aで表目、編針ｃで裏目、編針Eで表目、編針ｇで裏目をそれぞれ形成して、前側編地を編成するとともに、手順１で挿入したインレイ糸を押える。手順３では、後針床の編針ｃ，ｇに形成した裏目を、前針床の編針Ｃ，Ｇにそれぞれ目移しして、退避させる。この状態で、前針床の編針Ａ，Ｃ，Ｅ，Ｇと後針床の編針ｂ，ｄ，ｆ，ｇとに、前側編地と後側編地とがそれぞれ分けて係止される。
【００２９】
手順４〜７では、インレイ糸を挿入しながら後側編地を編成する。後側編地としては、手順１に先立ち、後針床の編針ｈには裏目、編針ｆには表目、編針ｄには裏目、編針ｂには表目を、それぞれ形成しておく。手順４では、後針床の編針ｆ，ｂに形成されている表目を、前針床の編針Ｆ，Ｂにそれぞれ目移しする。手順５では、図３（ａ）のように、フリンジ糸３ａとなるインレイ糸を、編幅の右端から左に挿入する。フリンジ糸３ａは、編幅の左端から外部に出る状態となるので、針床の左方の編針に掛ける。掛ける編針の位置は、手順１と同様に、フリンジ糸３ａとしての長さに応じて選択される。手順６では、編糸を右から左に給糸して、編針ｈで表目、編針Ｆで裏目、編針ｄで表目、編針Ｂで裏目をそれぞれ形成して、後側編地を編成するとともに、手順５で挿入したインレイ糸を押える。手順７では、前針床の編針Ｆ，Ｂに形成した裏目を、後針床の編針ｆ，ｂにそれぞれ目移しして、手順３と同様に退避させる。
【００３０】
以下同様に、手順８〜１１で前側編地、手順１２〜１５で後側編地の編成が行われる。これらの手順１〜１５では、フリンジ糸３ａが編幅両端から筒状編地の外部に出る状態となる。なお、筒状編地の外部に出るフリンジ糸３ａの先端は、編針に掛けて保持しておくけれども、インレイ糸を押える編地を編成すれば、保持が不要となる。したがって、次に同方向にフリンジ糸３ａを引出す際に、先に掛けておいたフリンジ糸３ａの先端を編針から払う。たとえば、手順１で筒状編地の外部に出したフリンジ糸３ａの先端の保持は、手順２以降で不要となる。したがって、次にフリンジ糸３ａの先端を針床の右方の編針に掛ける手順９で、手順１で掛けたフリンジ糸３ａは編針から払っておく。
【００３１】
手順１６〜３０は、筒状編地の編幅の途中からフリンジ糸３ａを外部に出す状態を得るために、編目形成と目移しを行う編針の組合わせを変化させる編成方法を示す。手順１６〜１９のうちの手順１７で編幅の左端から挿入するフリンジ糸３ａは、編針Ａ，ｃに係止される編目の間から筒状編地の外側右方に出る。手順２０〜２３のうちの手順２１で編幅の右端から挿入するフリンジ糸３ａは、編針ｈ，Ｆに係止される編目の間から筒状編地の外側左方に出る。手順２４〜２７のうちの手順２５で左方から挿入されるフリンジ糸３ａは、編針ｃ，Ｅ間に係止される編目の間から筒状編地内に入り、編幅の右端から外側右方に出る。手順２８〜３０のうち手順２９で右方から挿入されるフリンジ糸３ａは、編針Ｆ，ｄ間に係止される編目の間から筒状編地内に入り、編幅の左端から外側左方に出る。
【００３２】
手順１６〜３０に示すように、フリンジ糸３ａを筒状編地の編幅の途中から内部に入れる位置を変えながら編成すると、図１（ｂ）に示すようなフリンジ付き筒状編地１ｚとしては、筒状編地２ｚの外周から放射状にフリンジ糸３ａが出る状態となる。フリンジ糸３ａを編幅の途中から入れる状態で、手順１〜１５に示す編端から入れる場合と同じ位置の編針に掛けて折返すと、糸長が長くなってしまう。したがって、フリンジ糸３ａを筒状編地に入れる位置に応じて、外部でフリンジ糸３ａの先端を掛ける位置を調整することが好ましい。以上のような手順を繰返して、図１（ｂ）に示すフリンジ付き編地１ｚを、筒状編地２ｚの外周から放射状にフリンジ糸３ａが出る状態で、一体的に編成することができる。
【００３３】
人工海藻などの人工的な水中植物として使用する場合は、フリンジ糸３ａの素材を用途に応じて変更すればよい。たとえば、魚礁などに使用する場合、生分解性のポリ乳酸（ＰＬＡ）などを使用することが好ましい。生分解性の素材であれば、微生物などによって最終的には水と二酸化炭素に分解され、環境への影響を避けることができる。収縮筒状編地部２は、魚礁として使用する岩などの表面形状に合わせ、たとえば半球状にして、岩などに被せれば、容易に支持して、海藻として長期にわたって安定に使用することができる。
【００３４】
水質浄化用には、たとえば多孔質の炭素繊維を使用する。炭素繊維の表面に、汚れなどを吸着し、水質を浄化することができる。また、フリンジ糸３ａとして、鮮やかな色の糸を使用すれば、水槽とともにインテリアとして使用する人工水草を得ることもできる。
【符号の説明】
【００３５】
１  フリンジ付き筒状編地
１ｚフリンジ付き編地
２  収縮筒状編地部
２ｚ筒状編地
３  フリンジ部
３ａ  フリンジ糸  
【図１】
2011226019.tif 000003
【図２】
2011226019.tif 000004
【図３】
2011226019.tif 000005
【図４】
2011226019.tif 000006
【図５】
2011226019.tif 000007
【図６】
2011226019.tif 000008
【図７】
2011226019.tif 000009
【図８】
2011226019.tif 000010